(57)【要約】【課題】部品点数の削減による小型化を図ると共に性能の向上を図る。【解決手段】受光素子２１の３つの受光面を、０次光を受光するメインビーム受光面２２と該メインビーム受光面を挟んで互いに反対側に位置しそれぞれ±１次光を受光する一対のサブビーム受光面２３、２４とによって構成し、メインビーム受光面を十字状の２本のエリア分割線２２ａ、２２ｂによって４分割し、一対のサブビーム受光面のそれぞれに、第１の波長を有するレーザー光と第２の波長を有するレーザー光の各受光スポットを３つの受光面の並び方向にそれぞれ分割するための第１のスポット分割線２３ａ、２４ａと第２のスポット分割線２３ｂ、２４ｂとを形成した。【選択図】　　　　　図３
2004071044.tif 000002
【特許請求の範囲】
【請求項１】
ディスクテーブルに装着されるディスク状記録媒体の半径方向へ移動し該ディスク状記録媒体に対してレーザー光を照射する光ピックアップであって、
２種類の異なるディスク状記録媒体へ向けて該各ディスク状記録媒体に対応した第１の波長及び第２の波長を有するレーザー光を出射する発光素子と、
第１の波長を有するレーザー光及び第２の波長を有するレーザー光を回折する回折素子と、
第１の波長を有するレーザー光及び第２の波長を有するレーザー光を各レーザー光の進行方向に応じて反射し又は透過するビームスプリッターと、
第１の波長を有するレーザー光及び第２の波長を有するレーザー光をディスク状記録媒体の記録トラックに集光する対物レンズと、
各ディスク状記録媒体で反射された第１の波長を有するレーザー光と第２の波長を有するレーザー光の光軸を一致させる光軸合成素子と、
該光軸合成素子によって光軸が一致された第１の波長を有するレーザー光と第２の波長を有するレーザー光が入射されると共にレーザー光の０次光と±１次光とを各別に受光する３つの受光面を有する受光素子とを備え、
受光素子の３つの受光面は、０次光を受光するメインビーム受光面と該メインビーム受光面を挟んで互いに反対側に位置しそれぞれ±１次光を受光する一対のサブビーム受光面とによって構成され、
メインビーム受光面が十字状の２本のエリア分割線によって４分割され、
一対のサブビーム受光面のそれぞれに、第１の波長を有するレーザー光と第２の波長を有するレーザー光の各受光スポットを３つの受光面の並び方向にそれぞれ分割するための第１のスポット分割線と第２のスポット分割線とを形成した
ことを特徴とする光ピックアップ。
【請求項２】
一対のサブビーム受光面のそれぞれに、該サブビーム受光面を３つの受光面の並び方向に直交する方向にそれぞれ２分割するエリア分割線を形成した
ことを特徴とする請求項１に記載の光ピックアップ。
【請求項３】
ディスクテーブルに装着されるディスク状記録媒体の半径方向へ移動し該ディスク状記録媒体に対してレーザー光を照射する光ピックアップであって、
２種類の異なるディスク状記録媒体へ向けて該各ディスク状記録媒体に対応した第１の波長及び第２の波長を有するレーザー光を出射する発光素子と、
第１の波長を有するレーザー光及び第２の波長を有するレーザー光を回折する回折素子と、
第１の波長を有するレーザー光及び第２の波長を有するレーザー光を各レーザー光の進行方向に応じて反射し又は透過するビームスプリッターと、
第１の波長を有するレーザー光及び第２の波長を有するレーザー光をディスク状記録媒体の記録トラックに集光する対物レンズと、
各ディスク状記録媒体で反射された第１の波長を有するレーザー光と第２の波長を有するレーザー光の光軸を一致させる光軸合成素子と、
該光軸合成素子によって光軸が一致された第１の波長を有するレーザー光と第２の波長を有するレーザー光が入射されると共にレーザー光の０次光と±１次光とを各別に受光する３つの受光面を有する受光素子とを備え、
受光素子の３つの受光面は、０次光を受光するメインビーム受光面と該メインビーム受光面を挟んで互いに反対側に位置しそれぞれ±１次光を受光する一対のサブビーム受光面とによって構成され、
メインビーム受光面が十字状の２本のエリア分割線によって４分割され、
一対のサブビーム受光面のそれぞれに、該サブビーム受光面を３つの受光面の並び方向に直交する方向に２分割するエリア分割線と、第１の波長を有するレーザー光と第２の波長を有するレーザー光の各受光スポットを３つの受光面の並び方向にそれぞれ分割するための第１のスポット分割線と第２のスポット分割線とを形成し、
一対のサブビーム受光面には、それぞれエリア分割線によって第１のエリアと第２のエリアとが形成され、
第１の波長を有するレーザー光については、メインビーム受光面で受光される０次光と、一方のサブビーム受光面の第１のエリアで受光され第１のスポット分割線によって分割された１次光と、他方のサブビーム受光面の第２のエリアで受光され第１のスポット分割線によって分割された１次光とを用いてプッシュプル信号を検出し、
第２の波長を有するレーザー光については、メインビーム受光面で受光される０次光と、一方のサブビーム受光面の第２のエリアで受光され第２のスポット分割線によって分割された１次光と、他方のサブビーム受光面の第１のエリアで受光され第２のスポット分割線によって分割された１次光とを用いてプッシュプル信号を検出するようにした
ことを特徴とする光ピックアップ。
【請求項４】
ディスクテーブルに装着されるディスク状記録媒体の半径方向へ移動し該ディスク状記録媒体に対してレーザー光を照射する光ピックアップであって、
２種類の異なるディスク状記録媒体へ向けて該各ディスク状記録媒体に対応した第１の波長及び第２の波長を有するレーザー光を出射する発光素子と、
第１の波長を有するレーザー光及び第２の波長を有するレーザー光を回折する回折素子と、
第１の波長を有するレーザー光及び第２の波長を有するレーザー光を各レーザー光の進行方向に応じて反射し又は透過するビームスプリッターと、
第１の波長を有するレーザー光及び第２の波長を有するレーザー光をディスク状記録媒体の記録トラックに集光する対物レンズと、
各ディスク状記録媒体で反射された第１の波長を有するレーザー光と第２の波長を有するレーザー光の光軸を一致させる光軸合成素子と、
該光軸合成素子によって光軸が一致された第１の波長を有するレーザー光と第２の波長を有するレーザー光が入射されると共にレーザー光の０次光と±１次光とを各別に受光する３つの受光面を有する受光素子とを備え、
受光素子の３つの受光面は、０次光を受光するメインビーム受光面と該メインビーム受光面を挟んで互いに反対側に位置しそれぞれ±１次光を受光する一対のサブビーム受光面とによって構成され、
メインビーム受光面が十字状の２本のエリア分割線によって４分割され、
一方のサブビーム受光面に、第１の波長を有するレーザー光の受光スポットを３つの受光面の並び方向に分割するための第１のスポット分割線を形成し、
他方のサブビーム受光面に、第２の波長を有するレーザー光の受光スポットを３つの受光面の並び方向に分割するための第２のスポット分割線を形成し、
第１の波長を有するレーザー光については、メインビーム受光面で受光される０次光と、一方のサブビーム受光面で受光され第１のスポット分割線によって分割された１次光とを用いてプッシュプル信号を検出し、
第２の波長を有するレーザー光については、メインビーム受光面で受光される０次光と、他方のサブビーム受光面で受光され第２のスポット分割線によって分割された１次光とを用いてプッシュプル信号を検出するようにした
ことを特徴とする光ピックアップ。
【請求項５】
一対のサブビーム受光面のそれぞれに、該サブビーム受光面を３つの受光面の並び方向に直交する方向にそれぞれ２分割するエリア分割線を形成した
ことを特徴とする請求項４に記載の光ピックアップ。
【請求項６】
ディスク状記録媒体が装着されて回転されるディスクテーブルと、移動ベース上に対物レンズ駆動装置が支持されると共にディスクテーブルに装着されたディスク状記録媒体の半径方向へ移動しディスク状記録媒体に対してレーザー光を照射する光ピックアップとを備えたディスクドライブ装置であって、
上記光ピックアップは、
２種類の異なるディスク状記録媒体へ向けて該各ディスク状記録媒体に対応した第１の波長及び第２の波長を有するレーザー光を出射する発光素子と、
第１の波長を有するレーザー光及び第２の波長を有するレーザー光を回折する回折素子と、
第１の波長を有するレーザー光及び第２の波長を有するレーザー光を各レーザー光の進行方向に応じて反射し又は透過するビームスプリッターと、
第１の波長を有するレーザー光及び第２の波長を有するレーザー光をディスク状記録媒体の記録トラックに集光する対物レンズと、
各ディスク状記録媒体で反射された第１の波長を有するレーザー光と第２の波長を有するレーザー光の光軸を一致させる光軸合成素子と、
該光軸合成素子によって光軸が一致された第１の波長を有するレーザー光と第２の波長を有するレーザー光が入射されると共にレーザー光の０次光と±１次光とを各別に受光する３つの受光面を有する受光素子とを備え、
受光素子の３つの受光面は、０次光を受光するメインビーム受光面と該メインビーム受光面を挟んで互いに反対側に位置しそれぞれ±１次光を受光する一対のサブビーム受光面とによって構成され、
メインビーム受光面が十字状の２本のエリア分割線によって４分割され、
一対のサブビーム受光面のそれぞれに、第１の波長を有するレーザー光と第２の波長を有するレーザー光の各受光スポットを３つの受光面の並び方向にそれぞれ分割するための第１のスポット分割線と第２のスポット分割線とを形成した
ことを特徴とするディスクドライブ装置。
【請求項７】
一対のサブビーム受光面のそれぞれに、該サブビーム受光面を３つの受光面の並び方向に直交する方向にそれぞれ２分割するエリア分割線を形成した
ことを特徴とする請求項６に記載のディスクドライブ装置。
【請求項８】
ディスク状記録媒体が装着されて回転されるディスクテーブルと、移動ベース上に対物レンズ駆動装置が支持されると共にディスクテーブルに装着されたディスク状記録媒体の半径方向へ移動しディスク状記録媒体に対してレーザー光を照射する光ピックアップとを備えたディスクドライブ装置であって、
上記光ピックアップは、
２種類の異なるディスク状記録媒体へ向けて該各ディスク状記録媒体に対応した第１の波長及び第２の波長を有するレーザー光を出射する発光素子と、
第１の波長を有するレーザー光及び第２の波長を有するレーザー光を回折する回折素子と、
第１の波長を有するレーザー光及び第２の波長を有するレーザー光を各レーザー光の進行方向に応じて反射し又は透過するビームスプリッターと、
第１の波長を有するレーザー光及び第２の波長を有するレーザー光をディスク状記録媒体の記録トラックに集光する対物レンズと、
各ディスク状記録媒体で反射された第１の波長を有するレーザー光と第２の波長を有するレーザー光の光軸を一致させる光軸合成素子と、
該光軸合成素子によって光軸が一致された第１の波長を有するレーザー光と第２の波長を有するレーザー光が入射されると共にレーザー光の０次光と±１次光とを各別に受光する３つの受光面を有する受光素子とを備え、
受光素子の３つの受光面は、０次光を受光するメインビーム受光面と該メインビーム受光面を挟んで互いに反対側に位置しそれぞれ±１次光を受光する一対のサブビーム受光面とによって構成され、
メインビーム受光面が十字状の２本のエリア分割線によって４分割され、
一対のサブビーム受光面のそれぞれに、該サブビーム受光面を３つの受光面の並び方向に直交する方向に２分割するエリア分割線と、第１の波長を有するレーザー光と第２の波長を有するレーザー光の各受光スポットを３つの受光面の並び方向にそれぞれ分割するための第１のスポット分割線と第２のスポット分割線とを形成し、
一対のサブビーム受光面には、それぞれエリア分割線によって第１のエリアと第２のエリアとが形成され、
第１の波長を有するレーザー光については、メインビーム受光面で受光される０次光と、一方のサブビーム受光面の第１のエリアで受光され第１のスポット分割線によって分割された１次光と、他方のサブビーム受光面の第２のエリアで受光され第１のスポット分割線によって分割された１次光とを用いてプッシュプル信号を検出し、
第２の波長を有するレーザー光については、メインビーム受光面で受光される０次光と、一方のサブビーム受光面の第２のエリアで受光され第２のスポット分割線によって分割された１次光と、他方のサブビーム受光面の第１のエリアで受光され第２のスポット分割線によって分割された１次光とを用いてプッシュプル信号を検出するようにした
ことを特徴とするディスクドライブ装置。
【請求項９】
ディスク状記録媒体が装着されて回転されるディスクテーブルと、移動ベース上に対物レンズ駆動装置が支持されると共にディスクテーブルに装着されたディスク状記録媒体の半径方向へ移動しディスク状記録媒体に対してレーザー光を照射する光ピックアップとを備えたディスクドライブ装置であって、
上記光ピックアップは、
２種類の異なるディスク状記録媒体へ向けて該各ディスク状記録媒体に対応した第１の波長及び第２の波長を有するレーザー光を出射する発光素子と、
第１の波長を有するレーザー光及び第２の波長を有するレーザー光を回折する回折素子と、
第１の波長を有するレーザー光及び第２の波長を有するレーザー光を各レーザー光の進行方向に応じて反射し又は透過するビームスプリッターと、
第１の波長を有するレーザー光及び第２の波長を有するレーザー光をディスク状記録媒体の記録トラックに集光する対物レンズと、
各ディスク状記録媒体で反射された第１の波長を有するレーザー光と第２の波長を有するレーザー光の光軸を一致させる光軸合成素子と、
該光軸合成素子によって光軸が一致された第１の波長を有するレーザー光と第２の波長を有するレーザー光が入射されると共にレーザー光の０次光と±１次光とを各別に受光する３つの受光面を有する受光素子とを備え、
受光素子の３つの受光面は、０次光を受光するメインビーム受光面と該メインビーム受光面を挟んで互いに反対側に位置しそれぞれ±１次光を受光する一対のサブビーム受光面とによって構成され、
メインビーム受光面が十字状の２本のエリア分割線によって４分割され、
一方のサブビーム受光面に、第１の波長を有するレーザー光の受光スポットを３つの受光面の並び方向に分割するための第１のスポット分割線を形成し、
他方のサブビーム受光面に、第２の波長を有するレーザー光の受光スポットを３つの受光面の並び方向に分割するための第２のスポット分割線を形成し、
第１の波長を有するレーザー光については、メインビーム受光面で受光される０次光と、一方のサブビーム受光面で受光され第１のスポット分割線によって分割された１次光とを用いてプッシュプル信号を検出し、
第２の波長を有するレーザー光については、メインビーム受光面で受光される０次光と、他方のサブビーム受光面で受光され第２のスポット分割線によって分割された１次光とを用いてプッシュプル信号を検出するようにした
ことを特徴とするディスクドライブ装置。
【請求項１０】
一対のサブビーム受光面のそれぞれに、該サブビーム受光面を３つの受光面の並び方向に直交する方向にそれぞれ２分割するエリア分割線を形成した
ことを特徴とする請求項９に記載のディスクドライブ装置。
【発明の詳細な説明】
【０００１】
【発明の属する技術分野】
本発明は光ピックアップ及びディスクドライブ装置についての技術分野に関する。詳しくは、２種類の異なるディスク状記録媒体に対する情報信号の記録及び／又は再生を行う光ピックアップ及びこれを備えたディスクドライブ装置において、性能の向上を図ると共に部品点数の削減による小型化を図る技術分野に関する。
【０００２】
【従来の技術】
ディスク状記録媒体に対する情報信号の記録や再生を行うディスクドライブ装置があり、このようなディスクドライブ装置は、ディスクテーブルに装着されるディスク状記録媒体の半径方向へ移動し該ディスク状記録媒体に対して対物レンズを介してレーザー光を照射する光ピックアップを備えている。
【０００３】
ディスクドライブ装置には、異なる２種類のディスク状記録媒体、例えば、ＣＤ（Ｃｏｍｐａｃｔ　Ｄｉｓｃ）とＤＶＤ（Ｄｉｇｉｔａｌ　Ｖｅｒｓａｔｉｌｅ　Ｄｉｓｃ）に対して情報信号の記録や再生を行うようにしたものがある。このようなディスクドライブ装置にあっては、各ディスク状記録媒体に対応した波長を有するレーザー光を使用する必要があるが、ディスクドライブ装置には部品点数の削減等を目的として同一の発光素子を用いて異なる波長を有するレーザー光を出射させるようにしたものがある。
【０００４】
このようなディスクドライブ装置においては、発光素子の一方の発光点からＣＤに対応した７８０ｎｍの波長を有するレーザー光が出射され、他方の発光点からＤＶＤに対応した６５０ｎｍの波長を有するレーザー光が出射される。
【０００５】
発光素子から出射された各レーザー光は、同一の回折素子（グレーティング）によってそれぞれ０次光と±１次光に回折され、各ディスク状記録媒体の記録面で反射されて受光素子の３つの受光面でそれぞれ０次光と±１次光が受光される。
【０００６】
【発明が解決しようとする課題】
ところで、レーザー光の回折角度θ（０次光と±１次光とが為す角度）は、グレーティングの格子ピッチ（グレーティングの溝間の間隔）をＰｄとし、レーザー光の波長をλとすると、Ｓｉｎθ＝λ／Ｐｄで表され、回折角度θは波長λに依存する。従って、上記のように、異なる波長を有するレーザー光を１つの回折素子によって回折した場合には、それぞれのレーザー光で回折角度θが異なる。
【０００７】
このように波長によって回折角度が異なってしまうと、図８に示すように、一方のレーザー光の０次光Ｓｄと±１次光Ｓｅ、Ｓｅをそれぞれ受光素子の各受光面ａ、ｂ、ｃの中央部で受光させ、他方のレーザー光の０次光Ｓｆを０次光Ｓｄが受光される受光面ａの中央部に合わせるようにしたときに、他方のレーザー光の±１次光Ｓｇ、Ｓｇが受光素子の各受光面ｂ、ｃの中央部からずれてしまう。従って、非点収差を利用する方法によってトラッキングの誤差信号を検出しようとする場合に、他方のレーザー光についてはプッシュプル信号の検出ができなくなってしまう。
【０００８】
そこで、異なる波長を有する２種類のレーザー光を出射する１つの発光素子と１つのグレーティングを用いて光学系を構成した場合には、各レーザー光をそれぞれ受光するための２つの受光素子が必要となるが、受光素子が２つとなる分、部品点数の増加による製造コストの高騰を来たしてしまうという問題がある。
【０００９】
一方、異なる波長を有する２種類のレーザー光を出射する１つの発光素子と１つのグレーティングを用いて構成した光学系において、例えば、６５０ｎｍの波長を有するレーザー光の０次光のみを使用し±１次光を使用しない所謂１ビームの対応（ＤＰＤ法：Ｄｉｆｆｅｒｅｎｔｉａｌ　Ｐｈａｓｅ　Ｄｅｔｅｃｔｉｏｎ法、可動プッシュプル法）とすることも可能である。
【００１０】
ところが、この場合には、ＤＰＤ法では、ＤＶＤ（ＤＶＤビデオ、ＤＶＤ−ＲＯＭ）に対する情報信号の再生は可能であるが、情報信号の記録ができなくなり、また、ＤＶＤ−ＲＡＭに対しては情報信号の記録及び再生の双方ともできなくなり、使用可能なディスク状記録媒体の種類が限定されてしまうという不都合がある。また、可動プッシュプル法では、偏光ホログラム素子等の高価な光学素子を使用する必要があるためコスト高となってしまうという問題がある。
【００１１】
そこで、本発明光ピックアップ及びディスクドライブ装置は、上記した問題点を克服し、部品点数の削減による小型化を図ると共に性能の向上を図ることを課題とする。
【００１２】
【課題を解決するための手段】
本発明光ピックアップ及びディスクドライブ装置は、上記した課題を解決するために、２種類の異なるディスク状記録媒体へ向けて該各ディスク状記録媒体に対応した第１の波長及び第２の波長を有するレーザー光を出射する発光素子と、第１の波長を有するレーザー光及び第２の波長を有するレーザー光を回折する回折素子と、第１の波長を有するレーザー光及び第２の波長を有するレーザー光を各レーザー光の進行方向に応じて反射し又は透過するビームスプリッターと、第１の波長を有するレーザー光及び第２の波長を有するレーザー光をディスク状記録媒体の記録トラックに集光する対物レンズと、各ディスク状記録媒体で反射された第１の波長を有するレーザー光と第２の波長を有するレーザー光の光軸を一致させる光軸合成素子と、該光軸合成素子によって光軸が一致された第１の波長を有するレーザー光と第２の波長を有するレーザー光が入射されると共にレーザー光の０次光と±１次光とを各別に受光する３つの受光面を有する受光素子とを設け、受光素子の３つの受光面を、０次光を受光するメインビーム受光面と該メインビーム受光面を挟んで互いに反対側に位置しそれぞれ±１次光を受光する一対のサブビーム受光面とによって構成し、メインビーム受光面を十字状の２本のエリア分割線によって４分割し、一対のサブビーム受光面のそれぞれに、第１の波長を有するレーザー光と第２の波長を有するレーザー光の各受光スポットを３つの受光面の並び方向にそれぞれ分割するための第１のスポット分割線と第２のスポット分割線とを形成したものである。
【００１３】
別の本発明光ピックアップ及びディスクドライブ装置は、上記した課題を解決するために、２種類の異なるディスク状記録媒体へ向けて該各ディスク状記録媒体に対応した第１の波長及び第２の波長を有するレーザー光を出射する発光素子と、第１の波長を有するレーザー光及び第２の波長を有するレーザー光を回折する回折素子と、第１の波長を有するレーザー光及び第２の波長を有するレーザー光を各レーザー光の進行方向に応じて反射し又は透過するビームスプリッターと、第１の波長を有するレーザー光及び第２の波長を有するレーザー光をディスク状記録媒体の記録トラックに集光する対物レンズと、各ディスク状記録媒体で反射された第１の波長を有するレーザー光と第２の波長を有するレーザー光の光軸を一致させる光軸合成素子と、該光軸合成素子によって光軸が一致された第１の波長を有するレーザー光と第２の波長を有するレーザー光が入射されると共にレーザー光の０次光と±１次光とを各別に受光する３つの受光面を有する受光素子とを設け、受光素子の３つの受光面を、０次光を受光するメインビーム受光面と該メインビーム受光面を挟んで互いに反対側に位置しそれぞれ±１次光を受光する一対のサブビーム受光面とによって構成し、メインビーム受光面を十字状の２本のエリア分割線によって４分割し、一対のサブビーム受光面のそれぞれに、該サブビーム受光面を３つの受光面の並び方向に直交する方向に２分割するエリア分割線と、第１の波長を有するレーザー光と第２の波長を有するレーザー光の各受光スポットを３つの受光面の並び方向にそれぞれ分割するための第１のスポット分割線と第２のスポット分割線とを形成し、一対のサブビーム受光面に、それぞれエリア分割線によって第１のエリアと第２のエリアとを形成し、第１の波長を有するレーザー光については、メインビーム受光面で受光される０次光と、一方のサブビーム受光面の第１のエリアで受光され第１のスポット分割線によって分割された１次光と、他方のサブビーム受光面の第２のエリアで受光され第１のスポット分割線によって分割された１次光とを用いてプッシュプル信号を検出し、第２の波長を有するレーザー光については、メインビーム受光面で受光される０次光と、一方のサブビーム受光面の第２のエリアで受光され第２のスポット分割線によって分割された１次光と、他方のサブビーム受光面の第１のエリアで受光され第２のスポット分割線によって分割された１次光とを用いてプッシュプル信号を検出するようにしたものである。
【００１４】
また別の本発明光ピックアップ及びディスクドライブ装置は、上記した課題を解決するために、２種類の異なるディスク状記録媒体へ向けて該各ディスク状記録媒体に対応した第１の波長及び第２の波長を有するレーザー光を出射する発光素子と、第１の波長を有するレーザー光及び第２の波長を有するレーザー光を回折する回折素子と、第１の波長を有するレーザー光及び第２の波長を有するレーザー光を各レーザー光の進行方向に応じて反射し又は透過するビームスプリッターと、第１の波長を有するレーザー光及び第２の波長を有するレーザー光をディスク状記録媒体の記録トラックに集光する対物レンズと、各ディスク状記録媒体で反射された第１の波長を有するレーザー光と第２の波長を有するレーザー光の光軸を一致させる光軸合成素子と、該光軸合成素子によって光軸が一致された第１の波長を有するレーザー光と第２の波長を有するレーザー光が入射されると共にレーザー光の０次光と±１次光とを各別に受光する３つの受光面を有する受光素子とを設け、受光素子の３つの受光面は、０次光を受光するメインビーム受光面と該メインビーム受光面を挟んで互いに反対側に位置しそれぞれ±１次光を受光する一対のサブビーム受光面とによって構成し、メインビーム受光面を十字状の２本のエリア分割線によって４分割し、一方のサブビーム受光面に、第１の波長を有するレーザー光の受光スポットを３つの受光面の並び方向に分割するための第１のスポット分割線を形成し、他方のサブビーム受光面に、第２の波長を有するレーザー光の受光スポットを３つの受光面の並び方向に分割するための第２のスポット分割線を形成し、第１の波長を有するレーザー光については、メインビーム受光面で受光される０次光と、一方のサブビーム受光面で受光され第１のスポット分割線によって分割された１次光とを用いてプッシュプル信号を検出し、第２の波長を有するレーザー光については、メインビーム受光面で受光される０次光と、他方のサブビーム受光面で受光され第２のスポット分割線によって分割された１次光とを用いてプッシュプル信号を検出するようにしたものである。
【００１５】
従って、本発明光ピックアップ及びディスクドライブ装置にあっては、同一の発光素子から出射された異なる波長を有する２種類のレーザー光が同一の受光素子の受光面で受光される。
【００１６】
【発明の実施の形態】
以下に、本発明光ピックアップ及びディスクドライブ装置の実施の形態を添付図面を参照して説明する。
【００１７】
ディスクドライブ装置１は、外筐２内に所要の各部材及び各機構が配置されて成る（図１参照）。
【００１８】
外筐２内にはシャーシ３が配置され、該シャーシ３に図示しないスピンドルモーターが取り付けられている。スピンドルモーターのモーター軸にはディスクテーブル４が固定されている。
【００１９】
シャーシ３には配置孔３ａが形成され、ディスクテーブル４が配置孔３ａを介してシャーシ３の上方へ突出されている。
【００２０】
シャーシ３の下面側には、リードスクリュー５とガイド軸６、６とが平行な状態で配置されている。シャーシ３の配置孔３ａには、光ピックアップ７がディスクテーブル４に装着されるディスク状記録媒体１００の半径方向へ移動可能な状態で配置されている。
【００２１】
光ピックアップ７は移動ベース８と該移動ベース８に設けられた所要の光学要素（光学素子）と移動ベース８上に支持された対物レンズ駆動装置９とを有し、移動ベース８の両端部がそれぞれガイド軸６、６に摺動自在に支持されている。移動ベース８に設けられた図示しないナット部材がリードスクリュー５に螺合され、移動ベース８に取り付けられた図示しない送りモーターによってリードスクリュー５が回転されると、ナット部材がリードスクリュー５の回転方向に応じた方向へ送られ、光ピックアップ７がガイド軸６、６に案内されてディスクテーブル４に装着されるディスク状記録媒体１００の半径方向へ移動される。
【００２２】
対物レンズ駆動装置９は固定部１０と該固定部１０に複数のサスペンション１１、１１、・・・を介して移動可能に支持された可動部１２とを有し、該可動部１２に対物レンズ１３が保持されている（図１参照）。
【００２３】
移動ベース８には、所要の各光学要素が配置されている（図２参照）。
【００２４】
光学要素としては、発光素子１４、回折素子１５、ビームスプリッター１６、コリメーターレンズ１７、立ち上げミラー１８、対物レンズ駆動装置９に設けられた対物レンズ１３、光軸合成素子１９、調整レンズ２０及び受光素子２１等であり、これらの各光学要素によってディスクドライブ装置１の光学系が構成される。
【００２５】
発光素子１４は異なる波長を有するレーザー光を発光する２つの発光点を有し、第１の発光点からは、例えば、７８０ｎｍの波長（第１の波長）を有するレーザー光が出射され、第２の発光点からは、例えば、６５０ｎｍの波長（第２の波長）を有するレーザー光が出射される。一方のディスク状記録媒体１００、即ち、ＣＤ１００ａに対する情報信号の記録又は再生が行われるときには、第１の発光点から７８０ｎｍの波長を有するレーザー光が出射され、他方のディスク状記録媒体１００、即ち、ＤＶＤ１００ｂに対する情報信号の記録又は再生が行われるときには、第２の発光点から６５０ｎｍの波長を有するレーザー光が出射される。
【００２６】
発光素子１４の第１の発光点と第２の発光点とは所定の間隔、例えば、３０μｍ〜３００μｍの間隔を置いて配置されており、第２の波長を有するレーザー光は上記した光学系の光軸上に一致されているが、第１の波長を有するレーザー光は光学系の光軸上からずれている。
【００２７】
回折素子１５としては、例えば、グレーティングが用いられ、一方の面が複数の溝を有する回折面１５ａとして形成されている。回折素子１５は、入射されるレーザー光を回折して０次光と±１次光とを生成する機能を有する。回折素子１５における回折角度の大きさは、入射されるレーザー光の波長に依存するため、７８０ｎｍの波長を有するレーザー光が入射されたときの回折角度θ１は、６５０ｎｍの波長を有するレーザー光が入射されたときの回折角度θ２よりも大きい。
【００２８】
ビームスプリッター１６は、例えば、反射型であり、発光素子１４から出射されたレーザー光を分離面１６ａで反射してコリメーターレンズ１７へ導き、ディスク状記録媒体１００で反射されたレーザー光の戻り光を透過して光軸合成素子１９へ導く機能を有する。
【００２９】
コリメーターレンズ１７は入射されたレーザー光の光束を平行光束にする機能を有し、立ち上げミラー１８はレーザー光を反射して対物レンズ１３又はコリメーターレンズ１７へ導く機能を有し、対物レンズ１３は入射されたレーザー光をディスク状記録媒体１００の記録トラック上に集光させる機能を有する。
【００３０】
光軸合成素子１９は、光学系の光軸上からずれた第１の波長を有するレーザー光の光軸方向を補正し、受光素子２１の所定の位置及び方向から入射させる機能を有している。
【００３１】
調整レンズ２０はレーザー光の倍率を調整するためのレンズである。
【００３２】
受光素子２１は、メインビーム受光面２２とサブビーム受光面２３、２４とを有している（図３参照）。メインビーム受光面２２及びサブビーム受光面２３、２４はそれぞれ一定の間隔を置いて配置され、サブビーム受光面２３、２４がメインビーム受光面２２を挟んで互いに反対側に位置されている。
【００３３】
メインビーム受光面２２は０次光を受光する領域であり、サブビーム受光面２３は＋１次光を受光する領域であり、サブビーム受光面２４は−１次光を受光する領域である。従って、発光素子１４から各レーザー光が出射されると、メインビーム受光面２２には、７８０ｎｍの波長を有するレーザー光の０次光の受光スポットＳｍａ又は６５０ｎｍの波長を有するレーザー光の０次光の受光スポットＳｍｂが形成され、サブビーム受光面２３、２４には、それぞれ７８０ｎｍの波長を有するレーザー光の±１次光の受光スポットＳｓａ、Ｓｓａ又は６５０ｎｍの波長を有するレーザー光の±１次光の受光スポットＳｓｂ、Ｓｓｂが形成される（図３参照）。
【００３４】
メインビーム受光面２２は十字状の２本のエリア分割線２２ａ、２２ｂによって４つの正方形状のエリアに等分に分割されており、この４つのエリアがそれぞれエリアａ、エリアｂ、エリアｃ、エリアｄとされている。従って、各レーザー光の０次光の受光スポットＳｍａ、Ｓｍｂは、それぞれエリア分割線２２ａ、２２ｂによって４つに分割される。
【００３５】
サブビーム受光面２３には、受光面２２、２３、２４の並び方向（以下、受光面の並び方向を単に「並び方向」と言う。）に離間して第１のスポット分割線２３ａと第２のスポット分割線２３ｂとが形成されている。サブビーム受光面２３は第１のスポット分割線２３ａと第２のスポット分割線２３ｂとによって３つのエリアに分割され、この３つのエリアがそれぞれメインビーム受光面２２に近い側からエリアｅ、エリアｆ、エリアｇとされている。
【００３６】
第１のスポット分割線２３ａは第２のスポット分割線２３ｂよりメインビーム受光面２２から遠い位置に形成されている。第１のスポット分割線２３ａは、第１の波長を有するレーザー光の＋１次光の受光スポットＳｓａを２つに分割し（図３（ｂ）参照）、第２のスポット分割線２３ｂは、第２の波長を有するレーザー光の＋１次光の受光スポットＳｓｂを２つに分割する機能を有する（図３（ｃ）参照）。
【００３７】
サブビーム受光面２４には、並び方向に離間して第１のスポット分割線２４ａと第２のスポット分割線２４ｂとが形成されている。サブビーム受光面２４は第１のスポット分割線２４ａと第２のスポット分割線２４ｂとによって３つのエリアに分割され、この３つのエリアがそれぞれメインビーム受光面２２に近い側からエリアｈ、エリアｉ、エリアｊとされている。
【００３８】
第１のスポット分割線２４ａは第２のスポット分割線２４ｂよりメインビーム受光面２２から遠い位置に形成されている。第１のスポット分割線２４ａは、第１の波長を有するレーザー光の−１次光の受光スポットＳｓａを２つに分割し（図３（ｂ）参照）、第２のスポット分割線２４ｂは、第２の波長を有するレーザー光の−１次光の受光スポットＳｓｂを２つに分割する機能を有する（図３（ｃ）参照）。
【００３９】
以上のように構成された光学系において、発光素子１４から第１の波長を有するレーザー光が出射されると、出射されたレーザー光は回折素子１５によって回折角度θ１で回折されて０次光と±１次光が生成される。レーザー光はビームスプリッター１６の分離面１６ａで反射されてコリメーターレンズ１７によって平行光束とされ、立ち上げミラー１８で立ち上げられて対物レンズ１３を介してディスクテーブル４に装着されたＣＤ１００ａの記録面に照射される。ＣＤ１００ａの記録面に照射されたレーザー光は、該記録面で反射されて戻り光として再び対物レンズ１３、立ち上げミラー１８及びコリメーターレンズ１７を介してビームスプリッター１６に入射される。ビームスプリッター１６に入射された戻り光は、ビームスプリッター１６の分離面１６ａを透過され、光軸合成素子１９によって光軸方向が補正されて調整レンズ２０を介して受光素子２１に入射される。
【００４０】
受光素子２１に入射された第１の波長を有するレーザー光は、回折された０次光がメインビーム受光面２２で受光され、±１次光がそれぞれサブビーム受光面２３、２４で受光される。
【００４１】
光ピックアップ７にあっては、第１の波長を有するレーザ光の０次光Ｓｍａのスポット中心がメインビーム受光面２２のエリア分割線２２ａ、２２ｂの交点に略一致するように、かつ、第１の波長を有するレーザ光の±１次光Ｓｓａ、Ｓｓａの各スポット中心がそれぞれサブビーム受光面２３、２４の第１のスポット分割線２３ａ、２４ａの中央に略一致するように、回折素子１５による回折角度θ１及び各受光面２２、２３、２４の位置が設定されている。
【００４２】
一方、発光素子１４から第２の波長を有するレーザー光が出射されると、出射されたレーザー光は回折素子１５によって回折角度θ１より小さな回折角度θ２で回折されて０次光と±１次光が生成される。レーザー光はビームスプリッター１６の分離面１６ａで反射されてコリメーターレンズ１７によって平行光束とされ、立ち上げミラー１８で立ち上げられて対物レンズ１３を介してディスクテーブル４に装着されたＤＶＤ１００ｂの記録面に照射される。ＤＶＤ１００ｂの記録面に照射されたレーザー光は、該記録面で反射されて戻り光として再び対物レンズ１３、立ち上げミラー１８及びコリメーターレンズ１７を介してビームスプリッター１６に入射される。ビームスプリッター１６に入射された戻り光は、ビームスプリッター１６の分離面１６ａを透過され、順に光軸合成素子１９及び調整レンズ２０を介して受光素子２１に入射される。
【００４３】
受光素子２１に入射された第２の波長を有するレーザー光は、回折された０次光がメインビーム受光面２２で受光され、±１次光がそれぞれサブビーム受光面２３、２４で受光される。
【００４４】
光ピックアップ７にあっては、第２の波長を有するレーザ光の０次光Ｓｍｂのスポット中心がメインビーム受光面２２のエリア分割線２２ａ、２２ｂの交点に略一致するように、かつ、第２の波長を有するレーザ光の±１次光Ｓｓｂ、Ｓｓｂの各スポット中心がそれぞれサブビーム受光面２３、２４の第２のスポット分割線２３ｂ、２４ｂの中央に略一致するように、回折素子１５による回折角度θ２及び各受光面２２、２３、２４の位置が設定されている。
【００４５】
受光素子２１に第１の波長を有するレーザー光の戻り光又は第２の波長を有するレーザー光の戻り光が入射されると、メインビーム受光面２２で受光された０次光Ｓｍａ、Ｓｍｂに基づいてＣＤ１００ａ、ＤＶＤ１００ｂに対する情報信号の記録又は読取が行われる。同時に、メインビーム受光面２２で受光された０次光Ｓｍａ、Ｓｍｂに基づいてフォーカシングの誤差信号の検出が行われ、メインビーム受光面２２及びサブビーム受光面２３、２４で受光された０次光Ｓｍａ、Ｓｍｂ及び±１次光Ｓｓａ、Ｓｓａ、Ｓｓｂ、Ｓｓｂに基づいてトラッキングの誤差信号の検出が行われ、これらの検出結果に基づいて対物レンズ駆動装置９の可動部１２が固定部１３に対して変位されてフォーカシング調整及びトラッキング調整が行われる。
【００４６】
メインビーム受光面２２及びサブビーム受光面２３、２４に０次光又は±１次光が受光されると、各エリアａ、ｂ、ｃ、ｄ、ｅ、ｆ、ｇ、ｈ、ｉ、ｊ毎に光電変換されて各検出電流が生成され、これらの各検出電流が電圧に変換されて検出信号ａ、ｂ、ｃ、ｄ、ｅ、ｆ、ｇ、ｈ、ｉ、ｊとして出力される。
【００４７】
光ピックアップ７にあっては、フォーカシングの誤差信号の検出に非点収差法が用いられており、ＣＤ１００ａ及びＤＶＤ１００ｂについてのフォーカシング誤差信号ＦＥが、図示しない演算回路によってそれぞれ次の計算式
ＦＥ＝（ａ＋ｃ）―（ｂ＋ｄ）・・・（１）
に基づいて演算されて生成される。
【００４８】
トラッキングの誤差信号の検出には差動プッシュプル法が用いられており、ＣＤ１００ａについてのトラッキング誤差信号ＴＥａが、演算回路によって次の計算式
ＴＥａ＝（ａ＋ｄ）―（ｂ＋ｃ）―Ｋ１｛ｇ―（ｆ＋ｅ）＋（ｈ＋ｉ）―ｊ｝・・・（２）
に基づいて演算されて生成される。但し、Ｋ１は比例定数である。
【００４９】
ＤＶＤ１００ｂについてのトラッキング誤差信号ＴＥｂは、演算回路によって次の計算式
ＴＥｂ＝（ａ＋ｄ）―（ｂ＋ｃ）―Ｋ２｛（ｇ＋ｆ）―ｅ＋ｈ―（ｉ＋ｊ）｝・・・（３）
に基づいて演算されて生成される。但し、Ｋ２は比例定数である。
【００５０】
以上に記載した通り、光ピックアップ７にあっては、受光素子２１のサブビーム受光面２３、２４に、波長の異なる各レーザー光の±１次光の受光スポットＳｓａ、Ｓｓａ、Ｓｓｂ、Ｓｓｂをそれぞれ分割する第１のスポット分割線２３ａ、２４ａと第２のスポット分割線２３ｂ、２４ｂとを形成したので、波長の異なるレーザー光のそれぞれについてプッシュプル信号を検出することができる。
【００５１】
従って、異なる波長を有するレーザー光に対して共通の発光素子１４、回折素子１５、ビームスプリッター１６及び受光素子２１を用いることができ、部品点数の削減及びこれによる各光学要素の省スペース化による光ピックアップ７の小型化を図ることができる。
【００５２】
また、異なる波長を有する２種類のレーザー光について、それぞれ０次光と±１次光のそれぞれ３つの回折光を用いることができるため、各種のＣＤ（ＣＤ―ＲＯＭ、ＣＤ―Ｒ、ＣＤ―ＲＷ等）、ＤＶＤ（ＤＶＤビデオ、ＤＶＤ―ＲＯＭ、ＤＶＤ―Ｒ、ＤＶＤ―ＲＡＭ等）に対する情報信号の記録及び再生を行うことができ、使用可能なディスク状記録媒体１００の種類が増加し、光ピックアップ７の性能の向上を図ることができる。
【００５３】
次に、受光面の第１の変形例について説明する（図４参照）。以下に示す変形例は、上記したメインビーム受光面２２及びサブビーム受光面２３、２４と比較して、±１次光を受光するサブビーム受光面に新たな別の分割線が形成されていることのみが相違するため、メインビーム受光面２２及びサブビーム受光面２３、２４と比較して異なる部分についてのみ詳細に説明をし、その他の部分についてはメインビーム受光面２２及びサブビーム受光面２３、２４における同様の部分に付した符号と同じ符号を付して説明は省略する。
【００５４】
メインビーム受光面２２は０次光を受光する領域であり、サブビーム受光面２３Ａは＋１次光を受光する領域であり、サブビーム受光面２４Ａは−１次光を受光する領域である。
【００５５】
サブビーム受光面２３Ａには、該サブビーム受光面２３Ａを受光面２２、２３Ａ、２４Ａの並び方向に直交する方向（以下、受光面の並び方向に直交する方向を単に「直交方向」と言う。）に等分に分割するエリア分割線２３ｃが形成されている。サブビーム受光面２３Ａは第１のスポット分割線２３ａと第２のスポット分割線２３ｂとエリア分割線２３ｃとによって６つのエリアに分割され、図４に示すように、この６つのエリアがそれぞれエリアｅ、エリアｆ、エリアｇ、エリアｋ、エリアｌ、エリアｍとされている。サブビーム受光面２３Ａにあっては、エリアｅ、エリアｆ及びエリアｇによって第１のエリア２３Ａ１が構成され、エリアｋ、エリアｌ及びエリアｍによって第２のエリア２３Ａ２が構成される。
【００５６】
サブビーム受光面２４Ａには、該サブビーム受光面２４Ａを直交方向に等分に分割するエリア分割線２４ｃが形成されている。サブビーム受光面２４Ａは第１のスポット分割線２４ａと第２のスポット分割線２４ｂとエリア分割線２４ｃとによって６つのエリアに分割され、図４に示すように、この６つのエリアがそれぞれエリアｈ、エリアｉ、エリアｊ、エリアｎ、エリアｏ、エリアｐとされている。サブビーム受光面２４Ａにあっては、エリアｈ、エリアｉ及びエリアｊによって第１のエリア２４Ａ１が構成され、エリアｎ、エリアｏ及びエリアｐによって第２のエリア２４Ａ２が構成される。
【００５７】
メインビーム受光面２２及びサブビーム受光面２３Ａ、２４Ａに０次光又は±１次光が受光されると、各エリアａ、ｂ、ｃ、ｄ、ｅ、ｆ、ｇ、ｈ、ｉ、ｊ、ｋ、ｌ、ｍ、ｎ、ｏ、ｐ毎に光電変換されて各検出電流が生成され、これらの各検出電流が電圧に変換されて検出信号ａ、ｂ、ｃ、ｄ、ｅ、ｆ、ｇ、ｈ、ｉ、ｊ、ｋ、ｌ、ｍ、ｎ、ｏ、ｐとして出力される。
【００５８】
フォーカシングの誤差信号の検出には非点収差法が用いられ、ＣＤ１００ａ及びＤＶＤ１００ｂについてのフォーカシング誤差信号ＦＥが、演算回路によってそれぞれ次の計算式
ＦＥ＝（ａ＋ｃ）―（ｂ＋ｄ）・・・（４）
に基づいて演算されて生成される。
【００５９】
また、メインビーム受光面２２及びサブビーム受光面２３Ａ、２４Ａの場合には、フォーカシングの誤差信号の検出に差動非点収差法を用いることができる。
【００６０】
非点収差法においては、フォーカシングの誤差信号にプッシュプル信号が漏れ込むという問題があり、特に、ＤＶＤ―ＲＡＭ等のランドグループ型のディスク状記録媒体においては、この漏れ込みの問題が生じ易い。
【００６１】
一方、差動非点収差法は、０次光のプッシュプル信号と±１次光のプッシュプル信号の位相が逆相であることを利用して、両者のプッシュプル信号を加算してキャンセルすることによりフォーカシングの誤差信号へのプッシュプル信号の漏れ込みを防止してフォーカシングの誤差信号の検出を行う方法である。
【００６２】
従って、特に、漏れ込みの問題が生じ易いＤＶＤ―ＲＡＭ等のランドグループ型のディスク状記録媒体について、差動非点収差法を用いることが好ましい。
【００６３】
フォーカシングの誤差信号の検出に差動非点収差法が用いられる場合には、例えば、ＤＶＤ１００ｂについてのフォーカシング誤差信号ＦＥ′が、演算回路によって次の計算式
ＦＥ′＝（ａ＋ｃ）―（ｂ＋ｄ）＋Ｋ３［｛（ｇ＋ｆ）＋ｍ｝―｛（ｋ＋ｌ）＋ｅ｝＋｛（ｈ＋ｉ）＋ｐ｝―｛（ｎ＋ｏ）＋ｊ｝］・・・（５）
に基づいて演算されて生成される。但し、Ｋ３は比例定数である。
【００６４】
トラッキングの誤差信号の検出には差動プッシュプル法が用いられており、ＣＤ１００ａについてのトラッキング誤差信号ＴＥａが、演算回路によって次の計算式
ＴＥａ＝（ａ＋ｄ）―（ｂ＋ｃ）―Ｋ４｛（ｇ＋ｋ）―（ｆ＋ｌ＋ｅ＋ｍ）＋（ｈ＋ｎ＋ｉ＋ｏ）―（ｊ＋ｐ）｝・・・（６）
に基づいて演算されて生成される。但し、Ｋ４は比例定数である。
【００６５】
ＤＶＤ１００ｂについてのトラッキング誤差信号ＴＥｂは、演算回路によって次の計算式
ＴＥｂ＝（ａ＋ｄ）―（ｂ＋ｃ）―Ｋ５｛（ｇ＋ｆ＋ｋ＋ｌ）―（ｅ＋ｍ）＋（ｈ＋ｎ）―（ｉ＋ｊ＋ｏ＋ｐ）｝・・・（７）
に基づいて演算されて生成される。但し、Ｋ５は比例定数である。
【００６６】
以上に記載した通り、メインビーム受光面２２及びサブビーム受光面２３Ａ、２４Ａを用いた場合にあっては、サブビーム受光面２３Ａ、２４Ａに、波長の異なる各レーザー光の±１次光の受光スポットＳｓａ、Ｓｓａ、Ｓｓｂ、Ｓｓｂをそれぞれ分割する第１のスポット分割線２３ａ、２４ａと第２のスポット分割線２３ｂ、２４ｂとを形成したので、波長の異なるレーザー光のそれぞれについてプッシュプル信号を検出することができる。
【００６７】
従って、異なる波長を有するレーザー光に対して共通の発光素子１４、回折素子１５、ビームスプリッター１６及び受光素子２１を用いることができ、部品点数の削減及びこれによる各光学要素の省スペース化による光ピックアップ７の小型化を図ることができる。
【００６８】
また、異なる波長を有する２種類のレーザー光について、それぞれ０次光と±１次光のそれぞれ３つの回折光を用いることができるため、各種のＣＤ（ＣＤ―ＲＯＭ、ＣＤ―Ｒ、ＣＤ―ＲＷ等）、ＤＶＤ（ＤＶＤビデオ、ＤＶＤ―ＲＯＭ、ＤＶＤ―Ｒ、ＤＶＤ―ＲＡＭ等）に対する情報信号の記録及び再生を行うことができ、使用可能なディスク状記録媒体１００の種類が増加し、光ピックアップ７の性能の向上を図ることができる。
【００６９】
さらに、サブビーム受光面２３Ａ、２４Ａにそれぞれエリア分割線２３ｃ、２４ｃを形成したので、フォーカシングの誤差信号の検出に差動非点収差法を用いることができ、正確なフォーカシングの誤差信号の検出を行うことができる。
【００７０】
次に、受光面の第２の変形例について説明する（図５参照）。以下に示す変形例は、上記したメインビーム受光面２２及びサブビーム受光面２３、２４と比較して、±１次光を受光するサブビーム受光面の分割線の形成位置が異なること及び新たな別の分割線が形成されていることのみが相違するため、メインビーム受光面２２及びサブビーム受光面２３、２４と比較して異なる部分についてのみ詳細に説明をし、その他の部分についてはメインビーム受光面２２及びサブビーム受光面２３、２４における同様の部分に付した符号と同じ符号を付して説明は省略する。
【００７１】
メインビーム受光面２２は０次光を受光する領域であり、サブビーム受光面２３Ｂは＋１次光を受光する領域であり、サブビーム受光面２４Ｂは−１次光を受光する領域である。
【００７２】
サブビーム受光面２３Ｂには、該サブビーム受光面２３Ｂを直交方向に等分に分割するエリア分割線２３ｄが形成されている。サブビーム受光面２３Ｂはエリア分割線２３ｄによって第１のエリア２３Ｂ１と第２のエリア２３Ｂ２に分割されている。
【００７３】
サブビーム受光面２３Ｂには第１のスポット分割線２３ｅと第２のスポット分割線２３ｆとが形成されている。第１のスポット分割線２３ｅは第１のエリア２３Ｂ１に形成され、第２のスポット分割線２３ｆは第２のエリア２３Ｂ２に形成され、第２のスポット分割線２３ｆは第１のスポット分割線２３ｅより並び方向においてメインビーム受光面２２側に寄った位置に形成されている。
【００７４】
サブビーム受光面２３Ｂはエリア分割線２３ｄ、第１のスポット分割線２３ｅ及び第２のスポット分割線２３ｆによって４つのエリアに分割され、図５に示すように、この４つのエリアがそれぞれエリアｅ、エリアｆ、エリアｇ、エリアｈとされている。
【００７５】
サブビーム受光面２４Ｂには、該サブビーム受光面２４Ｂを直交方向に等分に分割するエリア分割線２４ｄが形成されている。サブビーム受光面２４Ｂはエリア分割線２４ｄによって第１のエリア２４Ｂ１と第２のエリア２４Ｂ２に分割されている。
【００７６】
サブビーム受光面２４Ｂには第１のスポット分割線２４ｅと第２のスポット分割線２４ｆとが形成されている。第１のスポット分割線２４ｅは第２のエリア２４Ｂ２に形成され、第２のスポット分割線２４ｆは第１のエリア２４Ｂ１に形成され、第２のスポット分割線２４ｆは第１のスポット分割線２４ｅより並び方向においてメインビーム受光面２２側に寄った位置に形成されている。
【００７７】
サブビーム受光面２４Ｂはエリア分割線２４ｄ、第１のスポット分割線２４ｅ及び第２のスポット分割線２４ｆによって４つのエリアに分割され、図５に示すように、この４つのエリアがそれぞれエリアｉ、エリアｊ、エリアｋ、エリアｌとされている。
【００７８】
メインビーム受光面２２及びサブビーム受光面２３Ｂ、２４Ｂに０次光又は±１次光が受光されると、各エリアａ、ｂ、ｃ、ｄ、ｅ、ｆ、ｇ、ｈ、ｉ、ｊ、ｋ、ｌ毎に光電変換されて各検出電流が生成され、これらの各検出電流が電圧に変換されて検出信号ａ、ｂ、ｃ、ｄ、ｅ、ｆ、ｇ、ｈ、ｉ、ｊ、ｋ、ｌとして出力される。
【００７９】
メインビーム受光面２２及びサブビーム受光面２３Ｂ、２４Ｂの場合には、各誤差信号の検出において±１次光が用いられる場合には、±１次光の第１のエリア２３Ｂ１と第２のエリア２４Ｂ２、又は、第２のエリア２３Ｂ２と第１のエリア２４Ｂ１で受光される部分のみが利用される。例えば、第１の波長を有するレーザー光については、第１のエリア２３Ｂ１と第２のエリア２４Ｂ２で受光される部分のみが利用され、第２の波長を有するレーザー光については、第２のエリア２３Ｂ２と第２のエリア２４Ｂ１で受光される部分のみが利用される。逆に、第１の波長を有するレーザー光について、第２のエリア２３Ｂ２と第１のエリア２４Ｂ１で受光される部分のみが利用され、第２の波長を有するレーザー光について、第１のエリア２３Ｂ１と第２のエリア２４Ｂ２で受光される部分のみが利用されるようにしてもよい。
【００８０】
フォーカシングの誤差信号の検出には非点収差法が用いられ、ＣＤ１００ａ及びＤＶＤ１００ｂについてのフォーカシング誤差信号ＦＥが、演算回路によってそれぞれ次の計算式
ＦＥ＝（ａ＋ｃ）―（ｂ＋ｄ）・・・（８）
に基づいて演算されて生成される。
【００８１】
また、メインビーム受光面２２及びサブビーム受光面２３Ｂ、２４Ｂの場合には、フォーカシングの誤差信号の検出に差動非点収差法を用いることができる。
【００８２】
フォーカシングの誤差信号の検出に差動非点収差法が用いられる場合には、例えば、ＤＶＤ１００ｂについてのフォーカシング誤差信号ＦＥ′が、演算回路によって次の計算式
ＦＥ′＝（ａ＋ｃ）―（ｂ＋ｄ）＋Ｋ６｛（ｉ＋ｇ）―（ｊ＋ｈ）｝・・・（９）
に基づいて演算されて生成される。但し、Ｋ６は比例定数である。
【００８３】
トラッキングの誤差信号の検出には差動プッシュプル法が用いられており、ＣＤ１００ａについてのトラッキング誤差信号ＴＥａが、演算回路によって次の計算式
ＴＥａ＝（ａ＋ｄ）―（ｂ＋ｃ）―Ｋ７｛（ｅ＋ｌ）―（ｆ＋ｋ）｝・・・（１０）
に基づいて演算されて生成される。但し、Ｋ７は比例定数である。
【００８４】
ＤＶＤ１００ｂについてのトラッキング誤差信号ＴＥｂは、演算回路によって次の計算式
ＴＥｂ＝（ａ＋ｄ）―（ｂ＋ｃ）―Ｋ８｛（ｉ＋ｈ）―（ｊ＋ｇ）｝・・・（１１）
に基づいて演算されて生成される。但し、Ｋ８は比例定数である。
【００８５】
以上に記載した通り、メインビーム受光面２２及びサブビーム受光面２３Ｂ、２４Ｂを用いた場合にあっては、サブビーム受光面２３Ｂ、２４Ｂに、波長の異なる各レーザー光の±１次光の受光スポットＳｓａ、Ｓｓａ、Ｓｓｂ、Ｓｓｂをそれぞれ分割する第１のスポット分割線２３ｅ、２４ｅと第２のスポット分割線２３ｆ、２４ｆとを形成したので、波長の異なるレーザー光のそれぞれについてプッシュプル信号を検出することができる。
【００８６】
従って、異なる波長を有するレーザー光に対して共通の発光素子１４、回折素子１５、ビームスプリッター１６及び受光素子２１を用いることができ、部品点数の削減及びこれによる各光学要素の省スペース化による光ピックアップ７の小型化を図ることができる。
【００８７】
また、異なる波長を有する２種類のレーザー光について、それぞれ０次光と±１次光のそれぞれ３つの回折光を用いることができるため、各種のＣＤ（ＣＤ―ＲＯＭ、ＣＤ―Ｒ、ＣＤ―ＲＷ等）、ＤＶＤ（ＤＶＤビデオ、ＤＶＤ―ＲＯＭ、ＤＶＤ―Ｒ、ＤＶＤ―ＲＡＭ等）に対する情報信号の記録及び再生を行うことができ、使用可能なディスク状記録媒体１００の種類が増加し、光ピックアップ７の性能の向上を図ることができる。
【００８８】
さらに、サブビーム受光面２３Ｂ、２４Ｂにそれぞれエリア分割線２３ｄ、２４ｄを形成したので、フォーカシングの誤差信号の検出に差動非点収差法を用いることができ、正確なフォーカシングの誤差信号の検出を行うことができる。
【００８９】
加えて、メインビーム受光面２２及びサブビーム受光面２３Ｂ、２４Ｂの場合には、±１次光のサブビーム受光面２３Ｂ、２４Ｂの片側の部分で受光される部分のみを利用して誤差信号の検出を行うため、エリアの数が少なく受光面の簡素化及び信号検出の簡素化を図ることができる。
【００９０】
次に、受光面の第３の変形例について説明する（図６参照）。以下に示す変形例は、上記したメインビーム受光面２２及びサブビーム受光面２３、２４と比較して、±１次光を受光するサブビーム受光面に１つの分割線のみが形成されていることのみが相違するため、メインビーム受光面２２及びサブビーム受光面２３、２４と比較して異なる部分についてのみ詳細に説明をし、その他の部分についてはメインビーム受光面２２及びサブビーム受光面２３、２４における同様の部分に付した符号と同じ符号を付して説明は省略する。
【００９１】
メインビーム受光面２２は０次光を受光する領域であり、サブビーム受光面２３Ｃは＋１次光を受光する領域であり、サブビーム受光面２４Ｃは−１次光を受光する領域である。
【００９２】
サブビーム受光面２３Ｃには、該サブビーム受光面２３Ｃを並び方向に分割するスポット分割線２３ｇが形成されている。スポット分割線２３ｇによってサブビーム受光面２３Ｃがエリアｅとエリアｆに分割されている。スポット分割線２３ｇは、第２の波長を有するレーザー光の＋１次光の受光スポットＳｓｂを２つに分割する機能を有する（図６（ｃ）参照）。
【００９３】
サブビーム受光面２４Ｃには、該サブビーム受光面２４Ｃを並び方向に分割するスポット分割線２４ｇが形成されている。スポット分割線２４ｇによってサブビーム受光面２４Ｃがエリアｇとエリアｈに分割されている。スポット分割線２４ｇは、第１の波長を有するレーザー光の−１次光の受光スポットＳｓａを２つに分割する機能を有する（図６（ｂ）参照）。
【００９４】
メインビーム受光面２２及びサブビーム受光面２３Ｃ、２４Ｃに０次光又は±１次光が受光されると、各エリアａ、ｂ、ｃ、ｄ、ｅ、ｆ、ｇ、ｈ毎に光電変換されて各検出電流が生成され、これらの各検出電流が電圧に変換されて検出信号ａ、ｂ、ｃ、ｄ、ｅ、ｆ、ｇ、ｈとして出力される。
【００９５】
メインビーム受光面２２及びサブビーム受光面２３Ｃ、２４Ｃの場合には、各誤差信号の検出において±１次光が用いられる場合には、＋１次光又は−１次光の何れか一方のみが利用される。例えば、第１の波長を有するレーザー光については、−１次光のみが利用され、第２の波長を有するレーザー光については、＋１次光のみが利用される。逆に、第１の波長を有するレーザー光について、＋１次光のみが利用され、第２の波長を有するレーザー光について、−１次光のみが利用されるようにしてもよい。
【００９６】
フォーカシングの誤差信号の検出には非点収差法が用いられ、ＣＤ１００ａ及びＤＶＤ１００ｂについてのフォーカシング誤差信号ＦＥが、演算回路によってそれぞれ次の計算式
ＦＥ＝（ａ＋ｃ）―（ｂ＋ｄ）・・・（１２）
に基づいて演算されて生成される。
【００９７】
トラッキングの誤差信号の検出には差動プッシュプル法が用いられており、ＣＤ１００ａについてのトラッキング誤差信号ＴＥａが、演算回路によって次の計算式
ＴＥａ＝（ａ＋ｄ）―（ｂ＋ｃ）―Ｋ９（ｇ―ｈ）・・・（１３）
に基づいて演算されて生成される。但し、Ｋ９は比例定数である。
【００９８】
ＤＶＤ１００ｂについてのトラッキング誤差信号ＴＥｂは、演算回路によって次の計算式
ＴＥｂ＝（ａ＋ｄ）―（ｂ＋ｃ）―Ｋ１０（ｆ―ｅ）・・・（１４）
に基づいて演算されて生成される。但し、Ｋ１０は比例定数である。
【００９９】
以上に記載した通り、メインビーム受光面２２及びサブビーム受光面２３Ｃ、２４Ｃを用いた場合にあっては、サブビーム受光面２３Ｃ、２４Ｃに、波長の異なる各レーザー光の±１次光の受光スポットＳｓｂ、Ｓｓａをそれぞれ分割するスポット分割線２３ｇ、２４ｇを形成したので、波長の異なるレーザー光のそれぞれについてプッシュプル信号を検出することができる。
【０１００】
従って、異なる波長を有するレーザー光に対して共通の発光素子１４、回折素子１５、ビームスプリッター１６及び受光素子２１を用いることができ、部品点数の削減及びこれによる各光学要素の省スペース化による光ピックアップ７の小型化を図ることができる。
【０１０１】
また、異なる波長を有する２種類のレーザー光について、それぞれ０次光と±１次光のそれぞれ３つの回折光を用いることができるため、各種のＣＤ（ＣＤ―ＲＯＭ、ＣＤ―Ｒ、ＣＤ―ＲＷ等）、ＤＶＤ（ＤＶＤビデオ、ＤＶＤ―ＲＯＭ、ＤＶＤ―Ｒ、ＤＶＤ―ＲＡＭ等）に対する情報信号の記録及び再生を行うことができ、使用可能なディスク状記録媒体１００の種類が増加し、光ピックアップ７の性能の向上を図ることができる。
【０１０２】
さらに、メインビーム受光面２２及びサブビーム受光面２３Ｃ、２４Ｃの場合には、＋１次光又は−１次光の何れかのみを利用して誤差信号の検出を行うため、エリアの数が少なく受光面の簡素化及び信号検出の簡素化を図ることができる。
【０１０３】
次に、受光面の第４の変形例について説明する（図７参照）。以下に示す変形例は、上記した第３の変形例に係るメインビーム受光面２２及びサブビーム受光面２３Ｃ、２４Ｃと比較して、±１次光を受光するサブビーム受光面に別の新たな分割線が形成されていることのみが相違するため、メインビーム受光面２２及びサブビーム受光面２３Ｃ、２４Ｃと比較して異なる部分についてのみ詳細に説明をし、その他の部分についてはメインビーム受光面２２及びサブビーム受光面２３Ｃ、２４Ｃにおける同様の部分に付した符号と同じ符号を付して説明は省略する。
【０１０４】
メインビーム受光面２２は０次光を受光する領域であり、サブビーム受光面２３Ｄは＋１次光を受光する領域であり、サブビーム受光面２４Ｄは−１次光を受光する領域である。
【０１０５】
サブビーム受光面２３Ｄには、該サブビーム受光面２３Ｄを直交方向に等分に分割するエリア分割線２３ｈが形成されている。サブビーム受光面２３Ｄはエリア分割線２３ｈによって第１のエリア２３Ｄ１と第２のエリア２３Ｄ２に分割されている。
【０１０６】
サブビーム受光面２３Ｄはスポット分割線２３ｇ及びエリア分割線２３ｈによって４つのエリアに分割され、図７に示すように、この４つのエリアがそれぞれエリアｅ、エリアｆ、エリアｇ、エリアｈとされている。
【０１０７】
サブビーム受光面２４Ｄには、該サブビーム受光面２４Ｄを直交方向に等分に分割するエリア分割線２４ｈが形成されている。サブビーム受光面２４Ｄはエリア分割線２４ｈによって第１のエリア２４Ｄ１と第２のエリア２４Ｄ２に分割されている。
【０１０８】
サブビーム受光面２４Ｄはスポット分割線２４ｇ及びエリア分割線２４ｈによって４つのエリアに分割され、図７に示すように、この４つのエリアがそれぞれエリアｉ、エリアｊ、エリアｋ、エリアｌとされている。
【０１０９】
メインビーム受光面２２及びサブビーム受光面２３Ｄ、２４Ｄに０次光又は±１次光が受光されると、各エリアａ、ｂ、ｃ、ｄ、ｅ、ｆ、ｇ、ｈ、ｉ、ｊ、ｋ、ｌ毎に光電変換されて各検出電流が生成され、これらの各検出電流が電圧に変換されて検出信号ａ、ｂ、ｃ、ｄ、ｅ、ｆ、ｇ、ｈ、ｉ、ｊ、ｋ、ｌとして出力される。
【０１１０】
メインビーム受光面２２及びサブビーム受光面２３Ｄ、２４Ｄの場合には、各誤差信号の検出において±１次光が用いられる場合には、＋１次光又は−１次光の何れか一方のみが利用される。例えば、第１の波長を有するレーザー光については、−１次光のみが利用され、第２の波長を有するレーザー光については、＋１次光のみが利用される。逆に、第１の波長を有するレーザー光について、＋１次光のみが利用され、第２の波長を有するレーザー光について、−１次光のみが利用されるようにしてもよい。
【０１１１】
フォーカシングの誤差信号の検出には非点収差法が用いられ、ＣＤ１００ａ及びＤＶＤ１００ｂについてのフォーカシング誤差信号ＦＥが、演算回路によってそれぞれ次の計算式
ＦＥ＝（ａ＋ｃ）―（ｂ＋ｄ）・・・（１５）
に基づいて演算されて生成される。
【０１１２】
また、メインビーム受光面２２及びサブビーム受光面２３Ｄ、２４Ｄの場合には、フォーカシングの誤差信号の検出に差動非点収差法を用いることができる。
【０１１３】
フォーカシングの誤差信号の検出に差動非点収差法が用いられる場合には、例えば、ＤＶＤ１００ｂについてのフォーカシング誤差信号ＦＥ′が、演算回路によって次の計算式
ＦＥ′＝（ａ＋ｃ）―（ｂ＋ｄ）＋Ｋ１１｛（ｆ＋ｈ）―（ｅ＋ｇ）｝・・・（１６）
に基づいて演算されて生成される。但し、Ｋ１１は比例定数である。
【０１１４】
トラッキングの誤差信号の検出には差動プッシュプル法が用いられており、ＣＤ１００ａについてのトラッキング誤差信号ＴＥａが、演算回路によって次の計算式
ＴＥａ＝（ａ＋ｄ）―（ｂ＋ｃ）―Ｋ１２｛（ｉ＋ｌ）―（ｊ＋ｋ）｝・・・（１７）
に基づいて演算されて生成される。但し、Ｋ１２は比例定数である。
【０１１５】
ＤＶＤ１００ｂについてのトラッキング誤差信号ＴＥｂは、演算回路によって次の計算式
ＴＥｂ＝（ａ＋ｄ）―（ｂ＋ｃ）―Ｋ１３｛（ｆ＋ｇ）―（ｅ＋ｈ）｝・・・（１８）
に基づいて演算されて生成される。但し、Ｋ１３は比例定数である。
【０１１６】
以上に記載した通り、メインビーム受光面２２及びサブビーム受光面２３Ｄ、２４Ｄを用いた場合にあっては、サブビーム受光面２３Ｄ、２４Ｄに、波長の異なる各レーザー光の±１次光の受光スポットＳｓｂ、Ｓｓａをそれぞれ分割するスポット分割線２３ｇ、２４ｇを形成したので、波長の異なるレーザー光のそれぞれについてプッシュプル信号を検出することができる。
【０１１７】
従って、異なる波長を有するレーザー光に対して共通の発光素子１４、回折素子１５、ビームスプリッター１６及び受光素子２１を用いることができ、部品点数の削減及びこれによる各光学要素の省スペース化による光ピックアップ７の小型化を図ることができる。
【０１１８】
また、異なる波長を有する２種類のレーザー光について、それぞれ０次光と±１次光のそれぞれ３つの回折光を用いることができるため、各種のＣＤ（ＣＤ―ＲＯＭ、ＣＤ―Ｒ、ＣＤ―ＲＷ等）、ＤＶＤ（ＤＶＤビデオ、ＤＶＤ―ＲＯＭ、ＤＶＤ―Ｒ、ＤＶＤ―ＲＡＭ等）に対する情報信号の記録及び再生を行うことができ、使用可能なディスク状記録媒体１００の種類が増加し、光ピックアップ７の性能の向上を図ることができる。
【０１１９】
さらに、サブビーム受光面２３Ｄ、２４Ｄにそれぞれエリア分割線２３ｈ、２４ｈを形成したので、フォーカシングの誤差信号の検出に差動非点収差法を用いることができ、正確なフォーカシングの誤差信号の検出を行うことができる。
【０１２０】
加えて、メインビーム受光面２２及びサブビーム受光面２３Ｄ、２４Ｄの場合には、＋１次光又は−１次光の何れかのみを利用して誤差信号の検出を行うため、エリアの数が少なく受光面の簡素化及び信号検出の簡素化を図ることができる。
【０１２１】
尚、上記には、７８０ｎｍの波長を第１の波長とし、６５０ｎｍを第２の波長として説明したが、６５０ｎｍの波長が第１の波長であると共に７８０ｎｍが第２の波長であってもよい。
【０１２２】
また、上記には、第１の波長が７８０ｎｍであり、第２の波長が６５０ｎｍである例を説明したが、第１の波長と第２の波長はそれぞれ７８０ｎｍと６５０ｎｍに限られることはなく、本発明は、波長の長さが異なる２種類の任意の波長を有するレーザー光が用いられる場合に適用することができる。
【０１２３】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【０１２４】
【発明の効果】
以上に記載したところから明らかなように、請求項１に記載した発明によれば、受光素子のサブビーム受光面に、波長の異なる各レーザー光の±１次光の受光スポットをそれぞれ分割する第１のスポット分割線と第２のスポット分割線とを形成したので、波長の異なるレーザー光のそれぞれについてプッシュプル信号を検出することができ、異なる波長を有するレーザー光に対して共通の発光素子、回折素子、ビームスプリッター及び受光素子を用いることができ、部品点数の削減及びこれによる各光学要素の省スペース化による光ピックアップの小型化を図ることができる。
【０１２５】
また、異なる波長を有する２種類のレーザー光について、それぞれ０次光と±１次光のそれぞれ３つの回折光を用いることができるため、各種のディスク状記録媒体に対する情報信号の記録及び再生を行うことができ、使用可能なディスク状記録媒体の種類が増加し、光ピックアップの性能の向上を図ることができる。
【０１２６】
請求項２に記載した発明によれば、フォーカシングの誤差信号の検出に差動非点収差法を用いることができ、正確なフォーカシングの誤差信号の検出を行うことができる。
【０１２７】
請求項３に記載した発明によれば、受光素子のサブビーム受光面に、波長の異なる各レーザー光の±１次光の受光スポットをそれぞれ分割する第１のスポット分割線と第２のスポット分割線とを形成したので、波長の異なるレーザー光のそれぞれについてプッシュプル信号を検出することができ、異なる波長を有するレーザー光に対して共通の発光素子、回折素子、ビームスプリッター及び受光素子を用いることができ、部品点数の削減及びこれによる各光学要素の省スペース化による光ピックアップの小型化を図ることができる。
【０１２８】
また、異なる波長を有する２種類のレーザー光について、それぞれ０次光と±１次光のそれぞれ３つの回折光を用いることができるため、各種のディスク状記録媒体に対する情報信号の記録及び再生を行うことができ、使用可能なディスク状記録媒体の種類が増加し、光ピックアップの性能の向上を図ることができる。
【０１２９】
さらに、±１次光のサブビーム受光面の片側の部分で受光される部分のみを利用して誤差信号の検出を行うため、エリアの数が少なく受光面の簡素化及び信号検出の簡素化を図ることができる。
【０１３０】
加えて、フォーカシングの誤差信号の検出に差動非点収差法を用いることができ、正確なフォーカシングの誤差信号の検出を行うことができる。
【０１３１】
請求項４に記載した発明によれば、受光素子のサブビーム受光面に、波長の異なる各レーザー光の±１次光の受光スポットをそれぞれ分割する第１のスポット分割線と第２のスポット分割線とを形成したので、波長の異なるレーザー光のそれぞれについてプッシュプル信号を検出することができ、異なる波長を有するレーザー光に対して共通の発光素子、回折素子、ビームスプリッター及び受光素子を用いることができ、部品点数の削減及びこれによる各光学要素の省スペース化による光ピックアップの小型化を図ることができる。
【０１３２】
また、異なる波長を有する２種類のレーザー光について、それぞれ０次光と±１次光のそれぞれ３つの回折光を用いることができるため、各種のディスク状記録媒体に対する情報信号の記録及び再生を行うことができ、使用可能なディスク状記録媒体の種類が増加し、光ピックアップの性能の向上を図ることができる。
【０１３３】
さらに、±１次光のサブビーム受光面の片側の部分で受光される部分のみを利用して誤差信号の検出を行うため、エリアの数が少なく受光面の簡素化及び信号検出の簡素化を図ることができる。
【０１３４】
請求項５に記載した発明によれば、フォーカシングの誤差信号の検出に差動非点収差法を用いることができ、正確なフォーカシングの誤差信号の検出を行うことができる。
【０１３５】
請求項６に記載した発明によれば、受光素子のサブビーム受光面に、波長の異なる各レーザー光の±１次光の受光スポットをそれぞれ分割する第１のスポット分割線と第２のスポット分割線とを形成したので、波長の異なるレーザー光のそれぞれについてプッシュプル信号を検出することができ、異なる波長を有するレーザー光に対して共通の発光素子、回折素子、ビームスプリッター及び受光素子を用いることができ、部品点数の削減及びこれによる各光学要素の省スペース化によるディスクドライブ装置の小型化を図ることができる。
【０１３６】
また、異なる波長を有する２種類のレーザー光について、それぞれ０次光と±１次光のそれぞれ３つの回折光を用いることができるため、各種のディスク状記録媒体に対する情報信号の記録及び再生を行うことができ、使用可能なディスク状記録媒体の種類が増加し、ディスクドライブ装置の性能の向上を図ることができる。
【０１３７】
請求項７に記載した発明によれば、フォーカシングの誤差信号の検出に差動非点収差法を用いることができ、正確なフォーカシングの誤差信号の検出を行うことができる。
【０１３８】
請求項８に記載した発明によれば、受光素子のサブビーム受光面に、波長の異なる各レーザー光の±１次光の受光スポットをそれぞれ分割する第１のスポット分割線と第２のスポット分割線とを形成したので、波長の異なるレーザー光のそれぞれについてプッシュプル信号を検出することができ、異なる波長を有するレーザー光に対して共通の発光素子、回折素子、ビームスプリッター及び受光素子を用いることができ、部品点数の削減及びこれによる各光学要素の省スペース化によるディスクドライブ装置の小型化を図ることができる。
【０１３９】
また、異なる波長を有する２種類のレーザー光について、それぞれ０次光と±１次光のそれぞれ３つの回折光を用いることができるため、各種のディスク状記録媒体に対する情報信号の記録及び再生を行うことができ、使用可能なディスク状記録媒体の種類が増加し、ディスクドライブ装置の性能の向上を図ることができる。
【０１４０】
さらに、±１次光のサブビーム受光面の片側の部分で受光される部分のみを利用して誤差信号の検出を行うため、エリアの数が少なく受光面の簡素化及び信号検出の簡素化を図ることができる。
【０１４１】
加えて、フォーカシングの誤差信号の検出に差動非点収差法を用いることができ、正確なフォーカシングの誤差信号の検出を行うことができる。
【０１４２】
請求項９に記載した発明によれば、受光素子のサブビーム受光面に、波長の異なる各レーザー光の±１次光の受光スポットをそれぞれ分割する第１のスポット分割線と第２のスポット分割線とを形成したので、波長の異なるレーザー光のそれぞれについてプッシュプル信号を検出することができ、異なる波長を有するレーザー光に対して共通の発光素子、回折素子、ビームスプリッター及び受光素子を用いることができ、部品点数の削減及びこれによる各光学要素の省スペース化によるディスクドライブ装置の小型化を図ることができる。
【０１４３】
また、異なる波長を有する２種類のレーザー光について、それぞれ０次光と±１次光のそれぞれ３つの回折光を用いることができるため、各種のディスク状記録媒体に対する情報信号の記録及び再生を行うことができ、使用可能なディスク状記録媒体の種類が増加し、ディスクドライブ装置の性能の向上を図ることができる。
【０１４４】
さらに、±１次光のサブビーム受光面の片側の部分で受光される部分のみを利用して誤差信号の検出を行うため、エリアの数が少なく受光面の簡素化及び信号検出の簡素化を図ることができる。
【０１４５】
請求項１０に記載した発明によれば、フォーカシングの誤差信号の検出に差動非点収差法を用いることができ、正確なフォーカシングの誤差信号の検出を行うことができる。
【図面の簡単な説明】
【図１】図２乃至図７と共に本発明の実施の形態を示すものであり、本図はディスクドライブ装置の概略斜視図である。
【図２】光ピックアップに設けられた光学系の構成を示す概念図である。
【図３】各受光面におけるスポットの位置を示す概念図であり、（ａ）は０次光と±１次光の各受光面における位置関係を示し、（ｂ）は第１の波長を有するレーザー光のスポットの位置を示し、（ｃ）は第２の波長を有するレーザー光のスポットの位置を示す。
【図４】第１の変形例に係る各受光面におけるスポットの位置を示す概念図であり、（ａ）は０次光と±１次光の各受光面における位置関係を示し、（ｂ）は第１の波長を有するレーザー光のスポットの位置を示し、（ｃ）は第２の波長を有するレーザー光のスポットの位置を示す。
【図５】第２の変形例に係る各受光面におけるスポットの位置を示す概念図であり、（ａ）は０次光と±１次光の各受光面における位置関係を示し、（ｂ）は第１の波長を有するレーザー光のスポットの位置を示し、（ｃ）は第２の波長を有するレーザー光のスポットの位置を示す。
【図６】第３の変形例に係る各受光面におけるスポットの位置を示す概念図であり、（ａ）は０次光と±１次光の各受光面における位置関係を示し、（ｂ）は第１の波長を有するレーザー光のスポットの位置を示し、（ｃ）は第２の波長を有するレーザー光のスポットの位置を示す。
【図７】第４の変形例に係る各受光面におけるスポットの位置を示す概念図であり、（ａ）は０次光と±１次光の各受光面における位置関係を示し、（ｂ）は第１の波長を有するレーザー光のスポットの位置を示し、（ｃ）は第２の波長を有するレーザー光のスポットの位置を示す。
【図８】従来の問題点を示す概念図である。
【符号の説明】
１…ディスクドライブ装置、４…ディスクテーブル、７…光ピックアップ、１３…対物レンズ、１４…発光素子、１５…回折素子、１６…ビームスプリッター、１９…光軸合成素子、２１…受光素子、２２…メインビーム受光面、２２ａ…エリア分割線、２２ｂ…エリア分割線、２３…サブビーム受光面、２３ａ…第１のスポット分割線、２３ｂ…第２のスポット分割線、２４…サブビーム受光面、２４ａ…第１のスポット分割線、２４ｂ…第２のスポット分割線、２３Ａ…サブビーム受光面、２３Ａ１…第１のエリア、２３Ａ２…第２のエリア、２３ｃ…エリア分割線、２４Ａ…サブビーム受光面、２４Ａ１…第１のエリア、２４Ａ２…第２のエリア、２４ａ…第１のスポット分割線、２４ｂ…第２のスポット分割線、２４ｃ…エリア分割線、２３Ｂ…サブビーム受光面、２３Ｂ１…第１のエリア、２３Ｂ２…第２のエリア、２３ｄ…エリア分割線、２３ｅ…第１のスポット分割線、２３ｆ…第２のスポット分割線、２４Ｂ…サブビーム受光面、２４Ｂ１…第１のエリア、２４Ｂ２…第２のエリア、２４ｄ…エリア分割線、２４ｅ…第１のスポット分割線、２４ｆ…第２のスポット分割線、２３Ｃ…サブビーム受光面、２３ｇ…スポット分割線、２４Ｃ…サブビーム受光面、２４ｇ…スポット分割線、２３Ｄ…サブビーム受光面、２３Ｄ１…第１のエリア、２３Ｄ２…第２のエリア、２３ｈ…エリア分割線、２４Ｄ…サブビーム受光面、２４Ｄ１…第１のエリア、２４Ｄ２…第２のエリア、２４ｈ…エリア分割線、１００…ディスク状記録媒体、１００ａ…ＣＤ（ディスク状記録媒体）、１００ｂ…ＤＶＤ（ディスク状記録媒体）
【図１】
2004071044.tif 000003
【図２】
2004071044.tif 000004
【図３】
2004071044.tif 000005
【図４】
2004071044.tif 000006
【図５】
2004071044.tif 000007
【図６】
2004071044.tif 000008
【図７】
2004071044.tif 000009
【図８】
2004071044.tif 000010